(57)【特許請求の範囲】
【請求項１】
衣類等の生地のカギザキ、ほころび等の補修部分を熱溶融性を有する補修材で補修する生地補修材であって、この補修材は、粘着剤となるナイロン樹脂の粉末を、グアーガムと精製水との粘度調整剤、保湿剤及び乳化剤と、更に防腐剤から構成されたベースに混入して攪拌することによりジェル状の補修材を構成し、このジェル状の補修材をプラスチック等の軟性材料からなる容器に収納し、この容器のノズルから前記補修部材に適量ずつ注出して補修用の共布とともに熱溶融接着して当該補修部分を補修するようにしたことを特徴とする衣類等の生地補修材。
【請求項２】
上記生地補修材は、粘度調整剤としてグアーガム（２％水溶液）を重量比で５．０〜１５．０％と、防腐剤としてパラオキシ安息香酸メチル、パラオキシ安息香酸ブチル、パラオキシ安息香酸プロピル、パラオキシ安息香酸エチルをそれぞれ０．１〜１．０％と、保湿剤として多価アルコールを０．１〜１０．０％と、乳化剤としてポリアクリル酸アミド、ポリオキシエチレンアルキルエーテル、軽質イソパラフィンをそれぞれ０．１〜５．０％と、適量の精製水を加えたベースに、粘着剤としてナイロン樹脂を２．０〜４０．０％の割合で混入した請求項１に記載の生地補修材。
【発明の詳細な説明】
【０００１】
【発明の属する技術分野】
本発明は、主に衣類等における生地のカギザキ、ほころび等の補修に使用され、補修を必要とする部分を熱溶融性の接着手段によって補修する新規な生地補修材に関する。
【０００２】
【従来の技術】
従来より、衣類等の生地がカギザキ、ほころび、煙草の焦げ穴、或は虫食いなどによって破れたり、穴が開いたりした場合には、これを補修するためアイロンを用いた熱溶融接着による補修手段が用いられている。一般にこの補修方法には、フィルム状、布状、テープ状、棒状、糸状、粉末状、チョーク型、或は網状の固形状の部材を用い、この補修材をアイロンで熱溶融接着することによって補修している。
【０００３】
具体的には、例えば、熱溶融接着性の溶融樹脂を一面側に塗布した接着シートを補修箇所よりひとまわり大きめにカットしておき、この接着シートを生地の裏側から補修箇所を隠すように当てた状態で加熱したアイロンを当てて仮留めしておき、生地を返した後に表側からアイロンで本留めして接着シートを溶融接着して補修するようにしている。
【０００４】
一方、補修を必要とする箇所がより小さい場合には、補修する布の共布をはさみ等で細かく切り刻み、細かくなった共布とパウダー状の接着剤を手で揉むようにして混合したものを補修を必要とする生地の裏側から少し盛り上げた状態で詰め込んだ後に、生地の表裏を剥離紙及び補強布等を当ててアイロンを強く押し当てることによって生地と共布を熱溶融接着することにより一体化するようにしている。
【０００５】
また、上記以外のパウダー状の接着剤を用いた補修手段としては、先ず補修箇所の穴の回りをはさみ等で切りとっておくとともに、補修箇所と同じ大きさに切った共布を設けておき、剥離紙上に裏返しに置いた生地にこの共布をはめ込んでおき、この上からパウダー状接着剤を振りかけて平らにのばし、更に補強布及び剥離紙を上に重ねた状態でアイロンを当てて補修するようにしたものがある。
【０００６】
また、接着シートの材質としては、通常の布生地以外にも、例えば、接着シートを靴下の生地にあわせて繊維を網状に織り込んだものを使用したり、或は、接着シートを伸縮自在なポリエステル素材等からなる熱溶融接着樹脂で設け、運動着のような伸縮素材からなる布製品を補修するようにしたものがあるが、これらは、いずれもパウダー状接着剤を伸縮素材に付着させ、この接着面を利用して熱溶融接着するようにしている。
【０００７】
【発明が解決しようとする課題】
しかしながら、補修箇所が微小な穴や細いカギザキである場合においては、接着シートを用いて補修を行うと、仮止め及び本止め時に熱溶融接着が十分でなかったり、また、共布とパウダー状接着剤との混合物を用いて補修を行う場合には、接着剤が均一な状態で分布せず、接着力が安定しないことがあった。
【０００８】
また、パウダー状の接着剤を直接生地に振りかけて補修を行うと、振りかける量の調整が難しく、補修箇所に応じた適切な量を塗布できなかったり、或は、周囲に飛び散ったりすることがあり、また、補修後の接着面の接着力も一定ではなく、補修作業での取扱いが不便であった。
【０００９】
しかも、パウダー状接着剤を接着シートの接着面に利用する場合には、接着剤を均一な状態で塗布した製品を設けるのが困難であり、各種の接着シートの接着面の状態にバラツキが生じることもあった。
【００１０】
本発明は、上記の課題点に鑑み、従来のフィルム状、布状、テープ状、棒状、糸状、粉末状、チョーク型、或は網状の固形状の固形状の補修材の問題を解決するために開発したものであり、その目的とするところは、細い線状の補修箇所でも安定した状態で正確に接着することができ、補修時にも仮固定状態で接着作業ができ、補修材の注出量を適宜に加減することができ、しかも作業中には飛散することのない衣類等の生地補修材を提供することにある。
【００１１】
【課題を解決するための手段】
上記の目的を達成するため、本発明は、衣類等の生地のカギザキ、ほころび等の補修部分を熱溶融性を有する補修材で補修する生地補修材であって、この補修材は、粘着剤となるナイロン樹脂の粉末を、グアーガムと精製水との粘度調整剤、保湿剤及び乳化剤と、更に防腐剤から構成されたベースに混入して攪拌することによりジェル状の補修材を構成し、このジェル状の補修材をプラスチック等の軟性材料からなる容器に収納し、この容器のノズルから前記補修部材に適量ずつ注出して補修用の共布とともに熱溶融接着して当該補修部分を補修するようにした。
【００１３】
請求項２における発明は、上記生地補修材は、粘度調整剤としてグアーガム（２％水溶液）を重量比で５．０〜１５．０％と、防腐剤としてパラオキシ安息香酸メチル、パラオキシ安息香酸ブチル、パラオキシ安息香酸プロピル、パラオキシ安息香酸エチルをそれぞれ０．１〜１．０％と、保湿剤として多価アルコールを０．１〜１０．０％と、乳化剤としてポリアクリル酸アミド、ポリオキシエチレンアルキルエーテル、軽質イソパラフィンをそれぞれ０．１〜５．０％と、適量の精製水を加えたベースに、粘着剤としてナイロン樹脂を２．０〜４０．０％の割合で混入した。
【００１５】
また、生地補修材をフィルム状、布状、テープ状、棒状、糸状、粉末状、チョーク型、或は網状等の各種の補修材と上記のジェル状の補修材とを組み合わせて使用する。
【００１６】
【発明の実施の形態】
以下に、本発明における生地補修材の実施形態を図面に従って説明する。本発明の生地補修材２は、衣類、靴下、すそあげ、裾の折返しその他の衣料等の生地１０を補修するために用いるものであって、粘着性物質を混合してジェル状の補修材２を設け、この補修材２を衣料等の生地１０の補修部分に適量注出して塗布し、図示しない補修用の共布を接着して補修するようにしている。
【００１７】
補修材２を構成する成分としては、粘着剤となるナイロン樹脂４の粉末にグアーガムと精製水との粘度調整剤、保湿剤及び乳化剤と、更に防腐剤から構成されるベース５とからなり、ナイロン樹脂４をベース５に混入し、攪拌することによって補修材２をジェル状に設けている。
【００１８】
この補修材２は、適宜の容器３に収納するようにし、例えば、プラスチック等の軟性材料によって成形した容器３内に収納し、この容器３を押圧して内部のジェル状の補修材２を適量注出するようにしている。
【００１９】
補修材２の注出時には、図２に示すように容器３のキャップ３ａを外して容器３本体を傾けながら押圧するようにすればよく、容器３本体の先端側に設けた小孔のノズル３ｂより接着する部位に応じて適量の補修材２を注出可能に設けており、微小な補修部位や細い線状の補修箇所を有する生地１０に対しても塗布することができる。
【００２０】
補修材２は、ジェル状以外の適宜の図示しない形態に設けることができ、例えば、フィルム状、布状、テープ状、棒状、糸状、或は網状等の各種の形態のいずれかと、ジェル状の形態とを組み合わせた補修材２を設け、この補修材２を補修時に使用するようにしてもよい。
【００２１】
なお、本実施形態の主成分であるナイロン樹脂４の粒子の大きさを適度の大きさに設けるようにすれば、粒子が大きい場合のようにノズル３ｂを塞いで注出し難くなったり、或は、粒子が小さい場合のように塗布した際に生地１０の繊維を貫通して接着し難くなったりすることがない。
【００２２】
次に、上記実施形態の作用を説明する。
本発明の生地補修材２は、粘着剤となるナイロン樹脂４の粉末と粘度調整剤と保湿剤と乳化剤とからなるベース５を混合してジェル状に設けているので、このジェル状の補修材２を容器３に収納すれば、容器３からの注出量を容易に加減でき、生地１０に対して適量を塗布することができる。従って、微小な穴や細かいカギザキ等の細い線状部位を補修する際においても仮止め及び本止め時の溶融接着を均一な状態で安定した接着力で接着することができる。
【００２３】
また、このように補修材２はジェル状であるので、塗布量の調節が容易であり、塗布時には周囲に飛び散ることがなく、接着が必要な部位のみに注出して塗布することができる。また、生地１０に適度に浸入して仮固定ができるので、補修作業が容易である。
【００２４】
粘着剤であるナイロン樹脂４は、ジェル状の補修材２内に拡散した状態で混合させることができるので沈殿したりすることがなく、このため、接着面の接着力を均一な状態にすることができ、高い接着力によって確実に補修することが可能である。また、補修用シート等の接着面に塗布した場合においても、接着面にバラツキがない。
【００２５】
補修材２には、防腐剤を混入しているのでかびが生えることがなく、また、保湿材を加えているので、容器内において保水性を保ち、常に安定した状態であると共に、長期に渡って品質が変化することのない使用及び保存が可能である。
【００２６】
ここで、本発明の生地補修材２を実施例に沿って説明する。本発明の生地補修材２は、粘度調整剤としてグアーガム（２％水溶液）を重量比で重量比で５．０〜１５．０％と、防腐剤としてパラオキシ安息香酸メチル、パラオキシ安息香酸ブチル、パラオキシ安息香酸プロピル、パラオキシ安息香酸エチルをそれぞれ０．１〜１．０％と、保湿剤として多価アルコールを０．１〜１０．０％と、乳化剤としてポリアクリル酸アミド、ポリオキシエチレンアルキルエーテル、軽質イソパラフィンをそれぞれ０．１〜５．０％と、適量の精製水を加えたベース５に対して、粘着剤であるナイロン樹脂４を２．０〜４０．０％の割合で混入して生地補修材２を設けた。
ナイロン樹脂４をベース５に混入して拡散させると、均一に分散させることができ、接着力を一定の状態に保った補修材２を設けることができた。
【００２７】
【発明の効果】
以上のことから明らかなように、本発明の衣類等の生地補修材によると、補修箇所が微小な穴、又は細いカギザキなどの細い線状部位である場合でも、補修用の共布、或は各種の補修材に安定した状態の接着面を設けることのできる生地補修材であり、しかも、補修時には仮固定状態で接着でき、補修作業を容易にした生地補修材である。また、容器内に収納すると注出時に注出量を適宜に加減することができ、しかも、生地に浸入するので、作業中に飛散することがない。
【００２８】
また、本発明の衣類等の生地補修材は、長期に渡って品質を維持して最適な接着力を保ち、また、補修材に含まれる粘着剤を沈殿させることなく均等に拡散させた高品質な補修材である。
【００２９】
補修時には、微小量が注出可能であり、必要な分量を塗布して接着することによって、補修材がはみ出して見栄えが悪くなったり、補修材が無駄になったりすることがない。
【００３０】
また、各種の形態の補修材と組み合わせた補修材として利用すれば、従来に比してより確実な接着状態にしながら補修箇所の状況に応じた補修を行える。
【図面の簡単な説明】
【図１】本発明における生地補修材を示す斜視図である。
【図２】生地補修材の使用状態を示す斜視図である。
【符号の説明】
２  生地補修材
３  容器
４  ナイロン樹脂（粘着剤）
５  ベース
１０  生地
【図１】
0003560542.tif 000002
【図２】
0003560542.tif 000003